(57)【要約】  【課題】  ビデオＣＤでのプレイバック再生中において、再生一時停止、永久ポーズ待ちなどの処理が入った場合に、その動作がディスク仕様であることをディスプレイ装置に表示させることができる光ディスク再生装置を提供する。  【解決手段】  タイムアウト永久待ち設定判定手段によりタイムアウト時間が永久待ち設定になっていると判定された場合、永久ループ設定判定手段により永久ループに設定されていると判定された場合、オートポーズ永久待ち設定判定手段によりオートポーズが永久待ち設定になっていると判定された場合、プレイアイテム永久待ち設定判定手段によりプレイアイテムが永久待ち設定になっていると判定された場合には、画面表示手段は、その判定された動作がディスク仕様であることと、その動作の解除方法とを示す画面表示をディスプレイ装置に対して行う。【選択図】      図４
2006085758.tif 000002
【特許請求の範囲】
【請求項１】
光ディスクに記録された情報を再生する光ディスク再生装置において、光ディスクとし
てのビデオＣＤに対してプレイバック再生中であるか否かを判定するプレイバック再生中
判定手段と、前記プレイバック再生中であると判定された場合にアイテム再生完了待ちで
あるか否かを判定するアイテム再生完了待ち判定手段と、前記アイテム再生完了待ちであ
ると判定された場合にタイムアウト時間が永久待ち設定になっているか否かを判定するタ
イムアウト永久待ち設定判定手段と、前記アイテム再生完了待ちでないと判定された場合
または前記タイムアウト時間が永久待ち設定になっていないと判定された場合にオーディ
オなしの静止画が再生されているか否かを判定する静止画判定手段と、前記オーディオな
しの静止画が再生されていると判定された場合にオーディオなしの静止画の再生処理が永
久ループに設定されているか否かを判定する永久ループ設定判定手段と、前記オーディオ
なしの静止画が再生されていないと判定された場合または前記永久ループに設定されてい
ないと判定された場合にオートポーズ中であるか否かを判定するオートポーズ中判定手段
と、前記オートポーズ中であると判定された場合にオートポーズが永久待ち設定になって
いるか否かを判定するオートポーズ永久待ち設定判定手段と、前記オートポーズ中でない
と判定された場合または前記オートポーズが永久待ち設定になっていないと判定された場
合に再生アイテム待ちであるか否かを判定する再生アイテム待ち判定手段と、前記再生ア
イテム待ちであると判定された場合にプレイアイテムが永久待ち設定になっているか否か
を判定するプレイアイテム永久待ち設定判定手段と、前記タイムアウト永久待ち設定判定
手段によりタイムアウト時間が永久待ち設定になっていると判定された場合、前記永久ル
ープ設定判定手段によりオーディオなしの静止画の再生処理が永久ループに設定されてい
ると判定された場合、前記オートポーズ永久待ち設定判定手段によりオートポーズが永久
待ち設定になっていると判定された場合、前記プレイアイテム永久待ち設定判定手段によ
りプレイアイテムが永久待ち設定になっていると判定された場合に、その動作がディスク
仕様であることと、その動作の解除方法とを示す画面表示をディスプレイ装置に対して行
う画面表示手段とを有するシステムコントローラを備えたことを特徴とする光ディスク再
生装置。
【請求項２】
光ディスクに記録された情報を再生する光ディスク再生装置において、光ディスクに対
してプレイバック再生中にディスク仕様で停止動作になった場合に、ディスク仕様である
ことと、その停止動作の解除方法とをディスプレイ装置に画面表示するように制御するシ
ステムコントローラを備えたことを特徴とする光ディスク再生装置。
【請求項３】
前記システムコントローラは、光ディスクとしてのビデオＣＤに対してプレイバック再
生中であるか否かを判定するプレイバック再生中判定手段と、ディスク仕様で停止になる
各処理の判定を行う停止処理判定手段と、この停止処理判定手段により判定された処理に
よる動作がディスク仕様であることと、その動作の解除方法とを示す画面表示をディスプ
レイ装置に対して行う画面表示手段とを有することを特徴とする請求項２に記載の光ディ
スク再生装置。
【請求項４】
前記システムコントローラは、光ディスクとしてのビデオＣＤに対してプレイバック再
生中であるか否かを判定するプレイバック再生中判定手段と、前記プレイバック再生中で
あると判定された場合にアイテム再生完了待ちであるか否かを判定するアイテム再生完了
待ち判定手段と、前記アイテム再生完了待ちであると判定された場合にタイムアウト時間
が永久待ち設定になっているか否かを判定するタイムアウト永久待ち設定判定手段と、前
記アイテム再生完了待ちでないと判定された場合または前記タイムアウト時間が永久待ち
設定になっていないと判定された場合にオーディオなしの静止画が再生されているか否か
を判定する静止画判定手段と、前記オーディオなしの静止画が再生されていると判定され
た場合に永久ループに設定されているか否かを判定する永久ループ設定判定手段と、前記
オーディオなしの静止画が再生されていないと判定された場合または前記永久ループに設
定されていないと判定された場合にオートポーズ中であるか否かを判定するオートポーズ
中判定手段と、前記オートポーズ中であると判定された場合にオートポーズが永久待ち設
定になっているか否かを判定するオートポーズ永久待ち設定判定手段と、前記オートポー
ズ中でないと判定された場合または前記オートポーズが永久待ち設定になっていないと判
定された場合に再生アイテム待ちであるか否かを判定する再生アイテム待ち判定手段と、
前記再生アイテム待ちであると判定された場合にプレイアイテムが永久待ち設定になって
いるか否かを判定するプレイアイテム永久待ち設定判定手段と、前記タイムアウト永久待
ち設定判定手段によりタイムアウト時間が永久待ち設定になっていると判定された場合、
前記永久ループ設定判定手段によりオーディオなしの静止画の再生処理が永久ループに設
定されていると判定された場合、前記オートポーズ永久待ち設定判定手段によりオートポ
ーズが永久待ち設定になっていると判定された場合、前記プレイアイテム永久待ち設定判
定手段によりプレイアイテムが永久待ち設定になっていると判定された場合に、その動作
がディスク仕様であることと、その動作の解除方法とを示す画面表示をディスプレイ装置
に対して行う画面表示手段とを有することを特徴とする請求項２に記載の光ディスク再生
装置。
【発明の詳細な説明】
【技術分野】
【０００１】
本発明は、ビデオＣＤに記録された情報を再生するビデオＣＤ再生装置などの光ディス
ク再生装置に関する。
【背景技術】
【０００２】
従来からＣＤ（Compact Disc）に記録されている情報を再生するＣＤ再生装置が知られ
ている。このＣＤは、元来音楽情報などのオーディオデータをデジタル記録したものであ
るが、近年、ＭＰＥＧ（Moving Picture image cording Experts Group）方式により圧縮
して、デジタル信号として記録するビデオＣＤ（ＶＣＤ）の規格が制定され、このビデオ
ＣＤが普及してきている。
【０００３】
このようなビデオＣＤを再生するビデオＣＤ再生装置においては、ＣＤも再生できるこ
とが求められるが、このような目的の異なる記録媒体の再生指示を行うためには、ハード
的なスイッチでは十分に対応できないので、ディスプレイ装置にメニュー画面を表示して
、このメニュー画面上に操作項目を表示できるようにし、その操作項目を選択することに
より、再生指示を行うようになっている。
【特許文献１】特開平１１−４３９０号公報
【特許文献２】特開平８−３１７３４３号公報
【特許文献３】特開平８−１８５６８７号公報
【発明の開示】
【発明が解決しようとする課題】
【０００４】
ところで、ビデオＣＤのプレイバック再生には、規格上、ディスク再生時にディスプレ
イ装置上の画像を一時または永久に止めるようなディスク仕様になっている。例えば、最
大停止で永久、一時停止の最大時間では規格上３３分程度に設定できる。したがって、従
来の光ディスク再生装置においては、ビデオＣＤでのプレイバック再生中に、一時停止や
永久ポーズ待ちなどの処理が入った場合（特に、オートポーズ動作では再生中に突然停止
してしまう動作に入ってしまった場合）、装置の再生不具合によるものか、ディスク仕様
によるものかが、ビデオＣＤの規格を知らないユーザにとっては判断し難いという課題が
あった。
【０００５】
なお、特許文献１の従来技術は、ＤＶＤ一体型テレビジョン受像機に関するものであり
、ビデオＣＤを再生する光ディスク再生装置に関するものではない。特許文献２の従来技
術は、ビデオＣＤを再生するビデオＣＤ再生装置に関するものであるが、プレイバック再
生中に一時停止や永久ポーズ待ちなどの処理が入った場合、ディスク仕様であることの表
示を行っていないので、上記課題を解決することができるものではない。特許文献３の従
来技術は、ビデオＣＤを再生するビデオＣＤプレーヤに関するものであり、ウエイト時間
の設定をユーザによる操作で可変できるようにしているが、この従来技術も、プレイバッ
ク再生中に一時停止や永久ポーズ待ちなどの処理が入った場合、ディスク仕様であること
の表示を行っていないので、上記課題を解決することができるものではない。
【０００６】
本発明は、上記のような課題を解決するためになされたもので、ビデオＣＤでのプレイ
バック再生中において、再生一時停止、永久ポーズ待ちなどの処理が入った場合に、その
動作がディスク仕様であることをディスプレイ装置に表示させることができる機能を有す
る光ディスク再生装置を提供することを目的とする。
【課題を解決するための手段】
【０００７】
上記目的を達成するために、請求項１の発明は、光ディスクとしてのビデオＣＤに対し
てプレイバック再生中であるか否かを判定するプレイバック再生中判定手段と、前記プレ
イバック再生中であると判定された場合にアイテム再生完了待ちであるか否かを判定する
アイテム再生完了待ち判定手段と、前記アイテム再生完了待ちであると判定された場合に
タイムアウト時間が永久待ち設定になっているか否かを判定するタイムアウト永久待ち設
定判定手段と、前記アイテム再生完了待ちでないと判定された場合または前記タイムアウ
ト時間が永久待ち設定になっていないと判定された場合にオーディオなしの静止画が再生
されているか否かを判定する静止画判定手段と、前記オーディオなしの静止画が再生され
ていると判定された場合に永久ループに設定されているか否かを判定する永久ループ設定
判定手段と、前記オーディオなしの静止画が再生されていないと判定された場合または前
記永久ループに設定されていないと判定された場合にオートポーズ中であるか否かを判定
するオートポーズ中判定手段と、前記オートポーズ中であると判定された場合にオートポ
ーズが永久待ち設定になっているか否かを判定するオートポーズ永久待ち設定判定手段と
、前記オートポーズ中でないと判定された場合または前記オートポーズが永久待ち設定に
なっていないと判定された場合に再生アイテム待ちであるか否かを判定する再生アイテム
待ち判定手段と、前記再生アイテム待ちであると判定された場合にプレイアイテムが永久
待ち設定になっているか否かを判定するプレイアイテム永久待ち設定判定手段と、前記タ
イムアウト永久待ち設定判定手段によりタイムアウト時間が永久待ち設定になっていると
判定された場合、前記永久ループ設定判定手段によりオーディオなしの静止画の再生処理
が永久ループに設定されていると判定された場合、前記オートポーズ永久待ち設定判定手
段によりオートポーズが永久待ち設定になっていると判定された場合、前記プレイアイテ
ム永久待ち設定判定手段によりプレイアイテムが永久待ち設定になっていると判定された
場合に、その動作がディスク仕様であることと、その動作の解除方法とを示す画面表示を
ディスプレイ装置に行う画面表示手段とを有するシステムコントローラを備えたことを特
徴とする光ディスク再生装置を提供する。
【０００８】
この構成において、ビデオＣＤに対してプレイバック再生が開始し、プレイバック再生
中であることがプレイバック再生中判定手段により判定された場合に、アイテム再生完了
待ちであるか否かがアイテム再生完了待ち判定手段により判定される。前記アイテム再生
完了待ちであると判定された場合は、タイムアウト時間が永久待ち設定になっているか否
かがタイムアウト永久待ち設定判定手段により判定される。
【０００９】
前記アイテム再生完了待ちでないと判定された場合、または前記タイムアウト時間が永
久待ち設定になっていないと判定された場合には、オーディオなしの静止画が再生されて
いるか否かが静止画判定手段により判定され、前記オーディオなしの静止画が再生されて
いると判定された場合は、永久ループに設定されているか否かが永久ループ設定判定手段
により判定される。
【００１０】
前記オーディオなしの静止画が再生されていないと判定された場合、または前記永久ル
ープに設定されていないと判定された場合には、オートポーズ中であるか否かがオートポ
ーズ中判定手段により判定される。前記オートポーズ中であると判定された場合には、オ
ートポーズが永久待ち設定になっているか否かがオートポーズ永久待ち設定判定手段によ
り判定される。
【００１１】
前記オートポーズ中でないと判定された場合または前記オートポーズが永久待ち設定に
なっていないと判定された場合には、再生アイテム待ちであるか否かが再生アイテム待ち
判定手段により判定される。前記再生アイテム待ちであると判定された場合には、プレイ
アイテムが永久待ち設定になっているか否かがプレイアイテム永久待ち設定判定手段によ
り判定される。
【００１２】
そして、前記タイムアウト永久待ち設定判定手段によりタイムアウト時間が永久待ち設
定になっていると判定された場合、前記永久ループ設定判定手段によりオーディオなしの
静止画の再生処理が永久ループに設定されていると判定された場合、前記オートポーズ永
久待ち設定判定手段によりオートポーズが永久待ち設定になっていると判定された場合、
前記プレイアイテム永久待ち設定判定手段によりプレイアイテムが永久待ち設定になって
いると判定された場合には、その動作がディスク仕様であることと、その動作の解除方法
とを示す画面表示が、画面表示手段によりディスプレイ装置に対して行われる。
【００１３】
この構成によれば、ビデオＣＤでのプレイバック再生中において、再生一時停止、永久
ポーズ待ちなどの処理が入った場合に、その動作がディスク仕様であることをディスプレ
イ装置に表示させることができるので、ビデオＣＤ規格を知らないユーザでも、画像の停
止が装置の再生不具合によるものであるか、ディスク仕様によるものであるかの判断を容
易に行うことができ、ユーザにとっては使い勝手が良くなる。
【００１４】
請求項２の発明は、光ディスクに対してプレイバック再生中にディスク仕様で停止動作
になった場合に、ディスク仕様であることと、その停止動作の解除方法とを、ディスプレ
イ装置に画面表示するように制御するシステムコントローラを備えたことを特徴とする光
ディスク再生装置を提供する。
【００１５】
この構成において、光ディスクに対してプレイバック再生中にディスク仕様で停止動作
になった場合に、ディスク仕様であることと、その停止動作の解除方法とが、ディスプレ
イ装置に画面表示される。
【００１６】
この構成によれば、プレイバック再生中において、再生一時停止、永久ポーズ待ちなど
の処理が入った場合に、その動作がディスク仕様であることをディスプレイ装置に表示さ
せることができるので、ディスク規格を知らないユーザでも、画像の停止が装置の再生不
具合によるものであるか、ディスク仕様によるものであるかの判断を容易に行うことがで
き、ユーザにとっては使い勝手が良くなる。
【００１７】
請求項３の発明では、請求項２の発明において、前記システムコントローラは、光ディ
スクとしてのビデオＣＤに対してプレイバック再生中であるか否かを判定するプレイバッ
ク再生中判定手段と、ディスク仕様で停止になる各処理の判定を行う停止処理判定手段と
、この停止処理判定手段により判定された処理による動作がディスク仕様であることと、
その動作の解除方法とを示す画面表示をディスプレイ装置に対して行う画面表示手段とを
有する。したがって、ディスク仕様で停止になった処理の内容がディスプレイ装置に表示
できる。
【００１８】
請求項４の発明では、請求項２の発明において、前記システムコントローラは、光ディ
スクとしてのビデオＣＤに対してプレイバック再生中であるか否かを判定するプレイバッ
ク再生中判定手段と、前記プレイバック再生中であると判定された場合にアイテム再生完
了待ちであるか否かを判定するアイテム再生完了待ち判定手段と、前記アイテム再生完了
待ちであると判定された場合にタイムアウト時間が永久待ち設定になっているか否かを判
定するタイムアウト永久待ち設定判定手段と、前記アイテム再生完了待ちでないと判定さ
れた場合または前記タイムアウト時間が永久待ち設定になっていないと判定された場合に
オーディオなしの静止画が再生されているか否かを判定する静止画判定手段と、前記オー
ディオなしの静止画が再生されていると判定された場合に永久ループに設定されているか
否かを判定する永久ループ設定判定手段と、前記オーディオなしの静止画が再生されてい
ないと判定された場合または前記永久ループに設定されていないと判定された場合にオー
トポーズ中であるか否かを判定するオートポーズ中判定手段と、前記オートポーズ中であ
ると判定された場合にオートポーズが永久待ち設定になっているか否かを判定するオート
ポーズ永久待ち設定判定手段と、前記オートポーズ中でないと判定された場合または前記
オートポーズが永久待ち設定になっていないと判定された場合に再生アイテム待ちである
か否かを判定する再生アイテム待ち判定手段と、前記再生アイテム待ちであると判定され
た場合にプレイアイテムが永久待ち設定になっているか否かを判定するプレイアイテム永
久待ち設定判定手段と、前記タイムアウト永久待ち設定判定手段によりタイムアウト時間
が永久待ち設定になっていると判定された場合、前記永久ループ設定判定手段によりオー
ディオなしの静止画の再生処理が永久ループに設定されていると判定された場合、前記オ
ートポーズ永久待ち設定判定手段によりオートポーズが永久待ち設定になっていると判定
された場合、前記プレイアイテム永久待ち設定判定手段によりプレイアイテムが永久待ち
設定になっていると判定された場合に、その動作がディスク仕様であることと、その動作
の解除方法とを示す画面表示をディスプレイ装置に対して行う画面表示手段とを有する。
【００１９】
したがって、ビデオＣＤでのプレイバック再生中において、再生一時停止、永久ポーズ
待ちなどの処理が入った場合に、その動作がディスク仕様であることをディスプレイ装置
に表示させることができる。
【発明の効果】
【００２０】
以上のように本発明によれば、光ディスクとしてのビデオＣＤに対してプレイバック再
生中であるか否かを判定するプレイバック再生中判定手段と、前記プレイバック再生中で
あると判定された場合にアイテム再生完了待ちであるか否かを判定するアイテム再生完了
待ち判定手段と、前記アイテム再生完了待ちであると判定された場合にタイムアウト時間
が永久待ち設定になっているか否かを判定するタイムアウト永久待ち設定判定手段と、前
記アイテム再生完了待ちでないと判定された場合または前記タイムアウト時間が永久待ち
設定になっていないと判定された場合にオーディオなしの静止画が再生されているか否か
を判定する静止画判定手段と、前記オーディオなしの静止画が再生されていると判定され
た場合に永久ループに設定されているか否かを判定する永久ループ設定判定手段と、前記
オーディオなしの静止画が再生されていないと判定された場合または前記永久ループに設
定されていないと判定された場合にオートポーズ中であるか否かを判定するオートポーズ
中判定手段と、前記オートポーズ中であると判定された場合にオートポーズが永久待ち設
定になっているか否かを判定するオートポーズ永久待ち設定判定手段と、前記オートポー
ズ中でないと判定された場合または前記オートポーズが永久待ち設定になっていないと判
定された場合に再生アイテム待ちであるか否かを判定する再生アイテム待ち判定手段と、
前記再生アイテム待ちであると判定された場合にプレイアイテムが永久待ち設定になって
いるか否かを判定するプレイアイテム永久待ち設定判定手段と、前記タイムアウト永久待
ち設定判定手段によりタイムアウト時間が永久待ち設定になっていると判定された場合、
前記永久ループ設定判定手段によりオーディオなしの静止画の再生処理が永久ループに設
定されていると判定された場合、前記オートポーズ永久待ち設定判定手段によりオートポ
ーズが永久待ち設定になっていると判定された場合、前記プレイアイテム永久待ち設定判
定手段によりプレイアイテムが永久待ち設定になっていると判定された場合に、その動作
がディスク仕様であることと、その動作の解除方法とを示す画面表示をディスプレイ装置
に対して行う画面表示手段とを有するシステムコントローラを備えたので、ビデオＣＤで
のプレイバック再生中において、再生一時停止、永久ポーズ待ちなどの処理が入った場合
に、その動作がディスク仕様であることをディスプレイ装置に表示させることができ、こ
れにより、ビデオＣＤ規格を知らないユーザでも、画像の停止が装置の再生不具合による
ものであるか、ディスク仕様によるものであるかの判断を容易に行うことができ、ユーザ
にとっては使い勝手が良くなる。
【００２１】
また、本発明によれば、光ディスクに対してプレイバック再生中にディスク仕様で停止
動作になった場合に、ディスク仕様であることと、その停止動作の解除方法とを、ディス
プレイ装置に画面表示するように制御するシステムコントローラを備えたので、プレイバ
ック再生中において、再生一時停止、永久ポーズ待ちなどの処理が入った場合に、その動
作がディスク仕様であることをディスプレイ装置に表示させることができ、これにより、
ディスク規格を知らないユーザでも、画像の停止が装置の再生不具合によるものであるか
、ディスク仕様によるものであるかの判断を容易に行うことができ、ユーザにとっては使
い勝手が良くなる。
【発明を実施するための最良の形態】
【００２２】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００２３】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとビデオデータとを分離するストリーム分離部
９とを備えている。
【００２４】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたビデオデータを入力して所定のデコード処理を行うビデオデ
コーダ１５と、このビデオデコーダ１５でのデコード処理を行うためにデータを一時的に
格納するＲＡＭ１４とを備えている。
【００２５】
また、この光ディスク再生装置は、ビデオデコーダ１５から出力されたデータを表示用
のビデオ信号に変換して画像をディスプレイ装置２０に表示させるビデオエンコーダ１８
と、オーディオデコーダ１１から出力されたデータをアナログのオーディオ信号に変換し
て例えばスピーカ１９に供給するＤ／Ａ変換器１６とを備えている。
【００２６】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２７】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２８】
システムコントローラ２２は、本実施形態の特徴とする構成要素として、光ディスクと
してのビデオＣＤ１に対してプレイバック再生中であるか否かを判定するプレイバック再
生中判定手段２２１と、前記プレイバック再生中であると判定された場合にアイテム再生
完了待ちであるか否かを判定するアイテム再生完了待ち判定手段２２２と、前記アイテム
再生完了待ちであると判定された場合にタイムアウト時間が永久待ち設定になっているか
否かを判定するタイムアウト永久待ち設定判定手段２２３と、前記アイテム再生完了待ち
でないと判定された場合または前記タイムアウト時間が永久待ち設定になっていないと判
定された場合にオーディオなしの静止画が再生されているか否かを判定する静止画判定手
段２２４とを有している。
【００２９】
また、システムコントローラ２２は、前記オーディオなしの静止画が再生されていると
判定された場合に永久ループに設定されているか否かを判定する永久ループ設定判定手段
２２５と、前記オーディオなしの静止画が再生されていないと判定された場合または前記
永久ループに設定されていないと判定された場合にオートポーズ中であるか否かを判定す
るオートポーズ中判定手段２２６と、前記オートポーズ中であると判定された場合にオー
トポーズが永久待ち設定になっているか否かを判定するオートポーズ永久待ち設定判定手
段２２７と、前記オートポーズ中でないと判定された場合または前記オートポーズが永久
待ち設定になっていないと判定された場合に再生アイテム待ちであるか否かを判定する再
生アイテム待ち判定手段２２８と、前記再生アイテム待ちであると判定された場合にプレ
イアイテムが永久待ち設定になっているか否かを判定するプレイアイテム永久待ち設定判
定手段２２９とを有している。
【００３０】
更に、システムコントローラ２２は、前記タイムアウト永久待ち設定判定手段２２３に
よりタイムアウト時間が永久待ち設定になっていると判定された場合、前記永久ループ設
定判定手段２２５によりオーディオなしの静止画の再生処理が永久ループに設定されてい
ると判定された場合、前記オートポーズ永久待ち設定判定手段２２７によりオートポーズ
が永久待ち設定になっていると判定された場合、前記プレイアイテム永久待ち設定判定手
段２２９によりプレイアイテムが永久待ち設定になっていると判定された場合に、その動
作がディスク仕様であることと、その動作の解除方法とを示す画面表示をディスプレイ装
置２０に対して行う画面表示手段２３０とを有している。
【００３１】
図２は本実施形態においてプレイバック制御情報ファイルに有るセレクション・リスト
のテーブル構造を示す図である。図２において、List Header（リスト・ヘッダ） は、リ
ストの識別子を示し、この値が「０ｘ１８」であることを示す。Reservedは予約を示し、
この値が「０ｘ００」であることを示す。Number of Selections（ＮＯＳ）は、数字キー
で選択できる次のリストの個数を示し、この値が「０」ならば数字キーで選択できるリス
トは無いことになる。Base of Selection Number（ＢＳＮ）は、数字キーで選択できる次
のリストの先頭の番号を示し、例えば、この値が「６」ならばリスト番号「１〜５」は選
択できないことになる。List ID は、このセレクション・リストのリストＩＤであり、「
０ｘ０００１」から順番にリストの識別子が振られており、最大は「０ｘ７ＦＦＦ」であ
り、最上位ビットが「１」ならば、このリストは最後であることを意味する。
【００３２】
Previous List Offset は、PREVキーが押されたときにジャンプするリストのオフセッ
トを示し、この値が「０ｘＦＦＦＦ」の場合はPREVキーは無効となる。Next List Offset
は、NEXTキーが押されたときにジャンプするリストのオフセットを示し、この値が「０
ｘＦＦＦＦ」の場合はNEXTキーは無効となる。Return List Offset は、RETURNキーが押
されたときにジャンプするリストのオフセットを示し、この値が「０ｘＦＦＦＦ」の場合
はNEXTキーは無効となる。Default List Offset は、PLAYキー（またはSELECTキーの場合
もある）が押されたときにジャンプするリストのオフセットを示し、この値が「０ｘＦＦ
ＦＦ」の場合は入力されたキーは無効となる。
【００３３】
Time-out List Offset は、次に述べる再生終了後待ち時間の値がタイムアウトとなっ
たときにジャンプするリストのオフセットを示し、この値が「０ｘＦＦＦＦ」の場合は、
タイムアウト後に、セレクション・オフセットのどれかにランダム・ジャンプする。Wait
Time for Time-out（再生終了後待ち時間）は、アイテム再生完了後の待ち時間であり、
タイムアウト後は、タイムアウト・リスト・オフセットの記述に従ってジャンプする。タ
イムアウトの計測時間は、次に述べるループ・カウント完了後からである。
【００３４】
Loop Count & Jump Timing は、二つの項目をもっており、ひとつはループ・カウント
であり、もうひとつはジャンプ・タイミングである。ループ・カウントはアイテムを何回
再生するかを決める。ジャンプ・タイミングはアイテム再生中にプレイバック・コントロ
ール用のキーを押されたときの動作を規定する。ループ・カウントは、ビット０〜６で構
成され、値が「０」の場合は永久ループに入り、値が「１〜１２７」の場合は、この値の
回数だけ再生を行わせる。
【００３５】
Play Item Number は、このリストが選択されたら再生を行うアイテムである。この再
生アイテム番号の値が「０〜１」の場合は再生するものは無いことを示し、値が「２〜９
９」の場合はトラック番号を示す。値が「１００〜５９９」の場合は、この値から「９９
」を引いた値（１〜５００）を示し、エントリＶＣＤテーブルのエントリ・ポイントから
、そのトラックの最後までを再生することを示す。値が「６００〜９００」は予約を示し
、値が「１０００〜２９７９」は、この値から「９９９」を引いた値（１〜１９８０）が
示すセグメント再生アイテムを再生することを示す。また、値が「２９８０〜０ｘＦＦＦ
Ｆ」は予約を示す。
【００３６】
Selection # BSN Offset 〜Selection # （BSN＋NOS-1）Offsetは、数字キーで選択す
るリストのオフセットを示し、オフセットの個数はNumber of Selections（ＮＯＳ）で与
えられ、オフセットが「０ｘＦＦＦＦ」であれば、そのオフセットに対応する数字キーは
無効となる。例えば、ＮＯＳが「５」で、ＢＳＮが「７」の場合は、「７〜１１」以外の
数字キーは無効となる。
【００３７】
例えば、Selection # BSN Offset の値が「０ｘ００３０」である場合は「７」の数字キ
ーを押すと、ＰＳＤの０ｘ００３０×８のリスト処理へ進む。Selection # BSN Offsetの
値が「０ｘ００５５」である場合は、「８」の数字キーを押すと、ＰＳＤの０ｘ００５５
×８のリスト処理へ進む。Selection # BSN Offsetの値が「０ｘ００２１」である場合は
、「９」の数字キーを押すと、ＰＳＤの０ｘ００２１×８のリスト処理へ進む。Selectio
n # BSN Offsetの値が「０ｘＦＦＦＦ」である場合は、「１０」の数字キーを押しても動
作せず、現在のリストのままである。Selection # BSN Offsetの値が「０ｘ１５２８」で
ある場合は、「１１」の数字キーを押すと、ＰＳＤの０ｘ１５２８×８のリスト処理へ進
む。
【００３８】
図３は本実施形態におけるプレイ・リストのテーブル構造を示す図である。図３におい
て、List Header（リスト・ヘッダ） は、リストの識別子を示し、この値が「０ｘ１０」
であることを示す。Number of Item（ＮＯＩ）は、再生アイテムの個数を示し、プレイ・
リストは最低でも一つの再生アイテムを持つため、再生アイテムの個数は１以上である。
List ID は、このプレイ・リストのリストＩＤであり、「０ｘ０００１」から順番にリス
トの識別子が振られており、最大は「０ｘ７ＦＦＦ」であり、最上位ビットが「１」なら
ば、このリストは最後であることを意味する。
【００３９】
Previous List Offset は、最初のアイテムの再生後、PREVキーが押されたときにジャ
ンプするリストのオフセットを示し、この値が「０ｘＦＦＦＦ」の場合はPREVキーは無効
となる。Next List Offset は、NEXTキーが押されたか、Number of Item（ＮＯＩ）の個
数分すべてのアイテムが再生完了したときにジャンプするリストのオフセットを示し、こ
の値が「０ｘＦＦＦＦ」の場合はNEXTキーは無効となる。Return List Offset は、RETUR
Nキーが押されたときにジャンプするリストのオフセットを示し、この値が「０ｘＦＦＦ
Ｆ」の場合はNEXTキーは無効となる。Playing Time は、個々のアイテムの再生時間（セ
クタ数）を規定し、再生時間の取り得る最大値は、各再生アイテムの最大値を超えること
はない。
【００４０】
Play Item Wait Time （再生アイテム待ち時間）は、個々のアイテム再生終了後の待ち
時間を示す。例えば、値が「０」の場合は待ち時間が０秒、値が「１〜６０」の場合は待
ち時間が１〜６０秒、値が「６１」の場合は待ち時間が７０秒、値が「６２」の場合は待
ち時間が８０秒、値が「ｎ」の場合は待ち時間が（ｎ−６０）×１０＋６０、値が「０ｘ
ＦＥ」の場合は待ち時間が２０００秒、値が「０ｘＦＦ」の場合は待ち時間が永久となる
。Auto Pause Wait Time （オートポーズ後待ち時間）は、アイテム再生中にトリガー・
ビットがオンのデータがあった場合、ポーズを行い、ポーズ解除は、ここで定義された時
間を経過するか、ポーズ解除の操作した場合に実行される。実際に待つ時間の算出方法は
、前述した再生終了後待ち時間を算出した方法と同じである。
【００４１】
Play Item #１ Offset 〜Play Item # NOI Offsetは、再生を行うアイテムの指定を示
し、複数の再生アイテムがある場合は、一つのアイテム再生終了後直ちに、次のアイテム
の再生を行う。但し、再生アイテム待ち時間で待つ場合は、タイムアウト後になる。この
値から再生するデータは、セレクション・リストにおいて説明した再生アイテム番号と値
との関係と同じ関係に従ったものである。
【００４２】
図４は、本実施形態においてプレイバック再生中にディスク仕様で停止していること、
およびその解除方法を示す画面表示を行うまでの処理を説明するためのフローチャートで
ある。このフローチャートを参照してプレイバック再生中にディスク仕様で停止している
こと、およびその解除方法を示す画面表示を行うまでの処理について説明する。
【００４３】
先ず、システムコントローラ２２のプレイバック再生中判定手段２２１は、プレイバッ
ク制御情報によりＰＢＣ（プレイバック）再生中であるか否かを判定し（ステップＳ１）
、ＰＢＣ再生中でなかったら本処理は行わないが、ＰＢＣ再生中であれば、アイテム再生
完了待ち判定手段２２２はアイテム再生完了待ち（メニューとかで待っている状態）であ
るか否かを判定する（ステップＳ２）。
【００４４】
そして、前記アイテム再生完了待ちであると判定されると、タイムアウト永久待ち設定
判定手段２２３は、Wait Time for Time-out=0（タイムアウト時間が永久待ち）であるか
否かを判定し（ステップＳ３）、Wait Time for Time-out=0であれば、画面表示手段２３
０は、Wait Time for Time-out=0の動作がディスク仕様であることと、その動作の解除方
法とを示すユーザへの画面表示をディスプレイ装置２０に対して行う（ステップＳ４）。
【００４５】
ステップＳ２においてアイテム再生完了待ちでないと判定された場合、またはステップ
Ｓ３においてWait Time for Time-out=0でないと判定された場合は、静止画判定手段２２
４はオーディオなしの静止画が再生されているか否かを判定すし（ステップＳ５）、オー
ディオなしの静止画が再生されていると判定された場合に、永久ループ設定判定手段２２
５は、Loop Count=0（永久ループ）に設定されているか否かを判定する（ステップＳ６）
。静止画が再生されているときは永久ループに入っているので、ステップＳ４に移り、画
面表示手段２３０は、Loop Count=0の動作がディスク仕様であることと、その動作の解除
方法とを示すユーザへの画面表示をディスプレイ装置２０に対して行う。
【００４６】
そして、前記オーディオなしの静止画が再生されていないと判定された場合、または前
記Loop Count=0に設定されていないと判定された場合に、ステップＳ７に移り、オートポ
ーズ中判定手段２２６はオートポーズ中であるか否かを判定し、オートポーズ中であると
判定された場合は、オートポーズ永久待ち設定判定手段２２７は、オートポーズがWait T
ime=0（永久待ち設定）になっているか否かを判定する（ステップＳ８）。オートポーズ
がWait Time=0になっているときは、ステップＳ４に移り、画面表示手段２３０は、Wait 
Time=0の動作がディスク仕様であることと、その動作の解除方法とを示すユーザへの画面
表示をディスプレイ装置２０に対して行う。
【００４７】
前記オートポーズ中でないと判定された場合、または前記オートポーズがWait Time=0
でないと判定された場合に、再生アイテム待ち判定手段２２８は再生アイテム待ち（メニ
ューでない再生が終わった後にする待ち処理）に入っているか否かを判定し（ステップＳ
９）、再生アイテム待ちに入っている場合には、プレイアイテム永久待ち設定判定手段２
２９はプレイアイテムがWait Time=0（永久待ち設定）になっているか否かを判定する（
ステップＳ１０）。前記プレイアイテムがWait Time=0になっているときは、ステップＳ
４に移り、画面表示手段２３０は、Wait Time=0の動作がディスク仕様であることと、そ
の動作の解除方法とを示すユーザへの画面表示をディスプレイ装置２０に対して行う。
【００４８】
ステップＳ１においてＰＢＣ再生中でないと判定された場合、またはステップＳ９にお
いて再生アイテム待ちでないと判定された場合、またはステップＳ１０においてプレイア
イテムがWait Time=0でないと判定された場合は、本処理は終了する。
【００４９】
図５は本実施形態においてプレイアイテムが永久待ち設定になっていることと、その動
作の解除方法とがメニュー画面に表示されている例を示す図である。この図５に示すよう
に、メニュー画面には、「Play Item Wait Time  が永久待ちになっています」と表示さ
れているので、画像が停止しているのはディスク仕様によるものであることが分る。そし
て、この停止動作を解除したい場合は、１〜６キー、PLAYキー、ENTERキーを押下すれば
良いということが分る。
【００５０】
図６は本実施形態においてオートポーズが永久待ち設定になっていることと、その動作
の解除方法とがオートポーズ中画面に表示されている例を示す図である。この図６に示す
ように、オートポーズ中画面には、「Auto Pause Wait Time  が永久待ちになっています
」と表示されているので、画像が一時停止しているのはディスク仕様によるものであるこ
とが分る。そして、この停止動作を解除したい場合は、PLAYキーを押下すれば良いという
ことが分る。
【００５１】
以上説明したように本実施形態によれば、ビデオＣＤでのプレイバック再生中において
、再生一時停止、永久ポーズ待ちなどの処理が入った場合に、その動作がディスク仕様で
あることをディスプレイ装置に表示させることができ、これにより、ビデオＣＤ規格を知
らないユーザでも、画像の停止が装置の再生不具合によるものであるか、ディスク仕様に
よるものであるかの判断を容易に行うことができ、ユーザにとっては使い勝手が良くなる
。
【図面の簡単な説明】
【００５２】
【図１】本発明の一実施形態に係る光ディスク再生装置の構成を示すブロック図である。
【図２】前記実施形態においてプレイバック制御情報ファイルに有るセレクション・リストのテーブル構造を示す図である。
【図３】前記実施形態におけるプレイ・リストのテーブル構造を示す図である。
【図４】前記実施形態においてプレイバック再生中にディスク仕様で停止していること、およびその解除方法を示す画面表示を行うまでの処理を説明するためのフローチャートである。
【図５】前記実施形態においてプレイアイテムが永久待ち設定になっていることと、その動作の解除方法とがメニュー画面に表示されている例を示す図である。
【図６】前記実施形態においオートポーズが永久待ち設定になっていることと、その動作の解除方法とがオートポーズ中画面に表示されている例を示す図である。
【符号の説明】
【００５３】
１    ビデオＣＤ（光ディスク）
２０    ディスプレイ装置
２２    システムコントローラ
２２１    プレイバック再生中判定手段
２２２    アイテム再生完了待ち判定手段
２２３    タイムアウト永久待ち設定判定手段（停止処理判定手段）
２２４    静止画判定手段
２２５    永久ループ設定判定手段（停止処理判定手段）
２２６    オートポーズ中判定手段
２２７    オートポーズ永久待ち設定判定手段（停止処理判定手段）
２２８    再生アイテム待ち判定手段
２２９    プレイアイテム永久待ち設定判定手段（停止処理判定手段）
２３０    画面表示手段
【図１】
2006085758.tif 000003
【図２】
2006085758.tif 000004
【図３】
2006085758.tif 000005
【図４】
2006085758.tif 000006
【図５】
2006085758.tif 000007
【図６】
2006085758.tif 000008